(57)【要約】      （修正有）【課題】雨天時、傘に付着した雨水が床に滴下しないようにするとともに、傘が床面を滑って倒れることの無い傘の水垂れ防止装置および傘の滑り防止装置を提供する。【解決手段】傘２の石突き部３に着脱自在に装着される傘２の水垂れ防止装置１である。傘２の水垂れ防止装置１は、傘２の石突き部３に装着され傘の布部側を開放するとともに内部は傘の布部から垂れた水を吸水する吸水体７より構成されるとともに、吸収体７は連続発泡体で形成される。傘２の石突き部３に着脱自在に装着される傘２の滑り防止装置４である。滑り防止装置４は、雨水を吸収する吸水体７で構成されるとともに、吸収体７は連続発泡体で形成され、滑り防止装置４が傘２の石突き部３より突出している。【選択図】図１
0003191772.tif 000002
【実用新案登録請求の範囲】
【請求項１】
傘の石突き部に着脱自在に装着される傘の水垂れ防止装置であって、前記傘の水垂れ防止装置は、傘の石突き部に装着され傘の布部側を開放するとともに内部は前記傘の布部から垂れた水を吸水する吸水体より構成されるとともに、前記吸収体は連続発泡体で形成されたことを特徴とする傘の水垂れ防止装置。
【請求項２】
傘の石突き部に着脱自在に装着される傘の滑り防止装置であって、前記滑り防止装置は、雨水を吸収する吸水体で構成されるとともに、前記吸収体は連続発泡体で形成され、前記滑り防止装置が傘の石突き部より突出していることを特徴とする傘の滑り防止装置。
【考案の詳細な説明】
【技術分野】
【０００１】
本考案は、傘の水垂れ防止装置および傘の滑り防止装置に関するものである。
【背景技術】
【０００２】
雨天時、傘を閉止するときに傘布に付着している雨滴が床を濡らさないために、傘立てやビニール袋が用意されていた。
【０００３】
従来の雨天時の傘に付着した雨水が床に滴下しないようにするものがある。（例えば特許文献１参照）。
【０００４】
【特許文献１】特開２００１−８７０１９号公報
【考案の開示】
【考案が解決しようとする課題】
【０００５】
しかしながら、このものにあっては、水滴収納用具内に溜まった雨水を排出する手間がかかるとともに、水滴収納用具の先端に形成された石突きは、水滴収納用具を形成した材質で形成されており、滑り止めの機能が無く傘が床面を滑って倒れるという問題点があった。
【０００６】
本考案は、このような従来の問題を解決しようとするもので、雨天時の傘に付着した雨水が床に滴下しないようにするとともに、傘が床面を滑って倒れることの無い水垂れ防止機能および滑り防止機能付き傘を提供することを目的とするものである。
【課題を解決するための手段】
【０００７】
本考案の傘の水垂れ防止装置は、傘の石突き部に装着され傘の布部側を開放するとともに内部は前記傘の布部から垂れた水を吸水する吸水体より構成されるとともに、前記吸収体は連続発泡体で形成されたことを特徴とする。また傘の滑り防止装置は、雨水を吸収する吸水体で構成されるとともに、前記吸収体は連続発泡体で形成され、前記滑り防止装置が傘の石突き部より突出していることを特徴とする。
【考案の効果】
【０００８】
本考案の傘の水垂れ防止装置は、傘の石突き部に着脱自在に装着される傘の水垂れ防止装置であって、前記傘の水垂れ防止装置は、傘の石突き部に装着され傘の布部側を開放するとともに内部は前記傘の布部から垂れた水を吸水する吸水体より構成されるとともに、前記吸収体は連続発泡体で形成されたことを特徴とするものであるから、傘の布部を伝って下部に滴下する雨水を連続発泡体である吸水体により吸収することにより、電車等の床面を雨水で濡らすことを防止できるという効果がある。
請求項２のようにした傘の滑り防止装置は、傘の石突き部に着脱自在に装着され、前記滑り防止装置は、雨水を吸収する連続発泡体である吸水体で構成されるとともに、前記滑り防止装置が傘の石突き部より突出していることを特徴とするものであるから、雨天時での電車等の床面での傘のすべりを防止できるという効果がある。
【考案を実施するための最良の形態】
【０００９】
図１、図２に示すように、傘の水垂れ防止装置１は、傘２の石突き部３に着脱自在に装着される傘の水垂れ防止装置であって、傘の水垂れ防止装置１は、傘２の石突き部３に装着され布部側が開放された雨水受部６と垂れた水を吸水する内部の吸収体７により構成されている。
【００１０】
滑り防止装置４は、吸水性を有する連続発泡体で形成されており、傘２の石突き部３よりも突出する長さに形成されている。
【００１１】
雨水受部６は、一方の面が開放された袋状になり、傘布２に残った雨水は雨水受部６開放側より内部に落ち込み、袋状になっているため雨水を吸収体７で貯留させることができる。
【００１２】
吸水体７は、吸水性を有する連続発泡体で形成されており、水垂れ防止装置１および滑り防止装置４と一体的に形成されているが、水垂れ防止装置１の吸水体７に吸水した水が滴下しないように外面は熱を加えてスキン層を形成させ発泡体の連続性を無くしている。
このため、布部５に残った雨水は水垂れ防止装置１側に滴下していき、吸水体７に吸収される。
また、滑り防止装置４と吸水体７とが一体成型のものについて説明したが、別体のものを嵌合することにより、滑り防止装置４と吸水体７とを一体的にするとともに、雨水受部６も滑り防止装置４の一端に固定しても構わないものであり、製作の柔軟性が出てくる。
【００１３】
このように、雨天時の傘の収納時、傘布２の残水は、雨水受部６と吸水体７に貯留・吸収され、床面への水垂れを防止することができ、従来のようなビニル袋や遠心力雨水飛散装置などは不要となる。
【００１４】
一方、雨天時の傘の床への立てかけ時の、石突き部３の滑り防止は、図３に示されるように、従来の石突き部のすべり防止との違いは、外周部に連続発泡の吸水体７を配設しているため、十分な水分の吸収力があり、滑り防止手段４を石突き部３より突出しているため、吸水体７への水分の取り込みや、床との接触面積が広くとれ、滑り防止装置４との摩擦力を大きくできるので、吸収能力と滑り防止効果が増大する。
【００１５】
図４は、他の実施例で、滑り防止装置４の外形が球体であるのが特徴で、柔軟体である連続発泡体等は図３と同様である。これにより識別力が加わり、他の傘との区別が可能となる。このように、柔軟体の形状の変化、夜光塗料などの着色などにより昼夜の識別力あるいはファッション性の向上が図られる。なお、滑り防止手段４の材料は耐候性のあるＥＰＤＭなどが品質的に良好である。
なお、滑り防止装置４や雨水受部６の形状・色・デザイン等に識別機能を持たせることにより、取り間違いや夜間での発光機能での安全性の効果なども出てくる。以上簡易な構成で、コスト、デザイン面での効果を得ることが出きる。
【図面の簡単な説明】
【００１６】
【図１】本考案にかかる傘の全体図を示す外観図である。
【図２】傘をさした時の外観図である。
【図３】図１の滑り防止装置の詳細図。
【図４】滑り防止装置の他の実施例の詳細図。
【符号の説明】
【００１７】
１    傘の水垂れ防止装置
２    傘
３    石突き部
４    滑り防止装置    
５    傘の布部
６    雨水受部
７    吸水体
【図１】
0003191772.tif 000003
【図２】
0003191772.tif 000004
【図３】
0003191772.tif 000005
【図４】
0003191772.tif 000006